(57)【要約】【課題】医用診断装置要のファントムを寝台に対して絶えず定位置に載置する技術を提供する。【解決手段】予め医用診断装置の寝台に溝を穿設する。ファントムは、底部に寝台に穿設された溝に嵌る突起部を備える。または、ファントムは、ファントム本体と治具とを備え、治具は、ファントム本体と治具との相対的な位置を固定する枠体と、溝に嵌る突起部とを有する。または、ファントムは、ファントム本体と治具とを備え、ファントム本体は、本体の延び方向に沿って貫設された第１のガイド部と、本体の延び方向と直交する方向に貫設された第２のガイド部とを有し、治具は、ファントム本体を収容する枠体と、溝に嵌る突起部と、突起部が溝に嵌った状態で寝台の延び方向に沿ったレーザ光を照光する第１の照光器と、突起部が溝に嵌った状態で寝台の延び方向と直交する方向にレーザ光を照光する第２の照光器とを有する。【選択図】図１
2008113803.tif 000002
【特許請求の範囲】
【請求項１】
医用診断装置の性能評価又は校正に用いられるファントムであって、
前記医用診断装置の寝台に穿設された溝に嵌る突起部を底面に備えること、
を特徴とする医用診断装置用のファントム。
【請求項２】
医用診断装置の性能評価又は校正に用いられるファントムであって、
ファントム本体と、
ファントム位置決め用治具と、
を備え、
前記ファントム位置決め用治具は、
前記ファントム本体を着脱自在に固定する枠体と、
前記枠体に延設され、前記医用診断装置の寝台に穿設された溝に嵌る突起部と、
を有すること、
を特徴とする医用診断装置用のファントム。
【請求項３】
医用診断装置の性能評価又は校正に用いられるファントムであって、
ファントム本体と、
ファントム位置決め用治具と、
を備え、
前記ファントム本体は、
本体の筒軸方向に沿って貫設された第１のガイド部と、
本体の筒軸方向と直交する方向に貫設された第２のガイド部と、
を有し、
前記ファントム位置決め用治具は、
前記ファントム本体を着脱自在に収容する枠体と、
前記枠体に延設され、前記医用診断装置の寝台に穿設された溝に嵌る突起部と、
前記突起部が前記溝に嵌った状態で、前記寝台の長手方向に沿ったレーザ光を照光する第１の照光器と、
前記突起部が前記溝に嵌った状態で、前記寝台の長手方向と直交する方向にレーザ光を照光する第２の照光器と、
を有し、
前記第１の照光器が照光したレーザ光が前記第１のガイド部を通り、かつ前記第２の照光器が照光したレーザ光が前記第２のガイド部を通ることで前記ファントム本体の載置位置が決定されること、
を特徴とする医用診断装置用のファントム。
【請求項４】
前記第１のガイド部と前記第２のガイド部には、光散乱光物質が充填されていること、
を特徴とする請求項３記載の医用診断装置用のファントム。
【請求項５】
前記ファントム位置決め用治具は、
前記第１の照光器に対向する第１の光感知センサと、
前記第２の照光器に対向する第２の光感知センサと、
をさらに有すること、
を特徴とする請求項３記載の医用診断装置用のファントム。
【請求項６】
前記ファントム位置決め用治具は、
前記第１の照光器と前記第２の照光器のそれぞれに、レーザ光の照射方向を調整する調整機構及び照光器の傾きを計測する水準器をさらに有すること、
を特徴とする請求項３記載の医用診断装置用のファントム。
【請求項７】
医用診断装置の性能評価又は校正に用いられるファントムの載置方法であって、
ファントム本体の底面に備えた突起部を前記医用診断装置の寝台に穿設された溝に嵌めること、
を特徴とする医用診断装置用のファントムの載置方法。
【請求項８】
ファントム位置決め用治具を用いて、医用診断装置の性能評価又は校正に用いられるファントムを載置する医用診断装置用のファントムの載置方法であって、
前記ファントム位置決め用治具が備える突起部を前記医用診断装置の寝台に穿設された溝に嵌め、
ファントム本体を、前記ファントム位置決め用治具が備える、当該ファントム本体を着脱自在に固定する枠体に嵌め込み、
前記ファントム位置決め用治具のみを前記寝台から取り外すこと、
を特徴とする医用診断装置用のファントムの載置方法。
【請求項９】
ファントム位置決め用治具を用いて、医用診断装置の性能評価又は校正に用いられるファントムを載置する医用診断装置用のファントムの載置方法であって、
前記ファントム位置決め用治具が備える突起部を前記医用診断装置の寝台に穿設された溝に嵌め、
前記ファントム本体を、前記ファントム位置決め用治具が備える枠体内に収容し、
前記ファントム本体の筒軸方向に沿って貫設された第１のガイド部に、前記ファントム位置決め治具が備える第１の照光器が照光する前記寝台の長手方向に沿ったレーザ光が通るように、前記ファントム本体の載置位置を調整し、
前記ファントム本体の筒軸方向と直交する方向に貫設された第２のガイド部に、前記ファントム位置決め治具が備える第２の照光器が照光する前記寝台の長手方向と直交する方向に沿ったレーザ光が通るように、前記ファントム本体の載置位置を調整し、
前記ファントム位置決め用治具のみを前記寝台から取り外すこと、
を特徴とする医用診断装置用のファントムの載置方法。
【請求項１０】
前記ファントム本体による前記医用診断装置の性能評価又は校正後には、前記寝台に穿設された溝を栓で塞ぐこと、
を特徴とする請求項７乃至９のいずれかに記載の医用診断装置用のファントムの載置方法。
【発明の詳細な説明】
【技術分野】
【０００１】
本発明は、医用診断装置の性能評価又は校正に用いられるファントムを寝台に載置する技術に関する。
【背景技術】
【０００２】
Ｘ線ＣＴ装置、ＭＲＩ装置、核医学診断装置、超音波診断装置、ＰＥＴ−ＣＴ装置等の医用診断装置では、装置の点検等の場面において性能評価又は校正を行うためにファントムを使用している（例えば「特許文献１」参照。）。医用診断装置の寝台にファントムを載置して、このファントムに対してスキャンを行ってデータ収集することで、収集されたデータから性能評価を行い、また校正箇所や校正量を探る。
【０００３】
ファントムは、円筒形の外容器である。内部には、放射性物質や水等の充填物を充填してスキャンすることにより、スキャナ性能の特性を表す測定値が得られる。ファントム内部全域に充填物を充填することでスキャナ性能の均一性を計測することが可能である。また、ファントム内に大小異なる複数の小室を異なる位置に設け、各小室に充填物を充填することで分解能を計測することが可能である。核医学診断装置の性能評価や校正を行うファントムでは、内部は空洞となっており、空洞に充填物を充填して用いる。Ｘ線ＣＴ装置やＭＲＩ装置等の性能評価や校正を行うファントムは、最初から測定用の物質が充填されている場合もある。
【０００４】
例えば、このようなファントムを核医学診断装置の性能評価に用いた場合、空間分解能評価、体軸方向分解能評価、感度評価、計数率特性評価、散乱線割合評価をすることができる。空間分解能評価は、被検体内の再構成画像の分解能を評価するものである。体軸方向分解能評価は、スライス方向の分解能を評価するものである。感度評価は、一定の濃度の放射性物質を均一に充填することで、どのようなカウント値（／Ｋｃｐｓ）を得られるかを評価するものである。計数率特性評価は、強い放射能でどのようなカウント値（／Ｋｃｐｓ）まで正しく測定することができるかを評価し、また補正により誤差が何％内に収まるかを評価するものである。散乱線割合評価は、真の同時計数以外の散乱の同時計数がどの程度の割合で含まれているかを評価するものである。
【０００５】
このファントムは、医用診断装置の性能評価又は校正の際、手作業により寝台に載置される。そのため、毎回ファントムを載置する位置や向きが異なるため、性能評価又は校正の度にＲＯＩ（関心領域）を設定する必要がある。ＲＯＩは、ファントムに対して設定するため、設定されたＲＯＩのファントムに対する位置が毎回微妙にズレてしまい、数値評価に誤差が生じてしまう。
【０００６】
寝台にテープ等で目印を付け、極力ファントムを定位置に置く試みもなされているが、あくまで目印を目視にて確認しながら載置者の感覚で載置されるため、ファントムに対して設定されるＲＯＩを毎回同じ箇所に設定することは容易ではない。
【０００７】
【特許文献１】特開平０４−６５６９３号公報
【発明の開示】
【発明が解決しようとする課題】
【０００８】
このように、従来では、載置者の目視による感覚でファントムを載置していたので、ファントムの載置位置及び向きが性能評価又は校正の度に異なり、毎回ＲＯＩを設定する必要があるため、ファントムに対するＲＯＩ位置が性能評価又は校正の度に微妙に異なり、数値評価に誤差が生じていた。
【０００９】
本発明は、以上の問題点に鑑みてなされたものであって、その目的は、医用診断装置要のファントムを寝台に対して絶えず定位置に載置し、精度の高い性能評価又は校正を可能とする技術を提供することにある。
【課題を解決するための手段】
【００１０】
上記課題を解決するための本発明の第１の態様は、医用診断装置の性能評価又は校正に用いられるファントムであって、前記医用診断装置の寝台に穿設された溝に嵌る突起部を底面に備えること、を特徴とする。
【００１１】
また、本発明の第２の態様は、医用診断装置の性能評価又は校正に用いられるファントムであって、ファントム容器と、ファントム位置決め用治具と、を備え、前記ファントム位置決め用治具は、前記ファントム容器を着脱自在に固定する枠体と、前記医用診断装置の寝台に穿設された溝に嵌る突起部と、を有すること、を特徴とする。
【００１２】
また、本発明の第３の態様は、医用診断装置の性能評価又は校正に用いられるファントムであって、ファントム容器と、ファントム位置決め用治具と、を備え、前記ファントム容器は、本体の筒軸方向に沿って貫設された第１のガイド部と、本体の筒軸方向と直交する方向に貫設された第２のガイド部と、を有し、前記ファントム位置決め用治具は、前記ファントム容器を着脱自在に収容する枠体と、前記医用診断装置の寝台に穿設された溝に嵌る突起部と、前記突起部が前記溝に嵌った状態で、前記寝台の長手方向に沿ったレーザ光を照光する第１の照光器と、前記突起部が前記溝に嵌った状態で、前記寝台の長手方向と直交する方向にレーザ光を照光する第２の照光器と、を有し、前記第１の照光器が照光したレーザ光が前記第１のガイド部を通り、かつ前記第２の照光器が照光したレーザ光が前記第２のガイド部を通ることで前記ファントム容器の載置位置が決定されること、を特徴とする。
【００１３】
また、本発明の第４の態様は、医用診断装置の性能評価又は校正に用いられるファントムの載置方法であって、ファントムの底面に備えた突起部を前記医用診断装置の寝台に穿設された溝に嵌めること、を特徴とする。
【００１４】
また、本発明の第５の態様は、ファントム位置決め用治具を用いて、医用診断装置の性能評価又は校正に用いられるファントムを載置する医用診断装置用のファントムの載置方法であって、前記ファントム位置決め用治具が備える突起部を前記医用診断装置の寝台に穿設された溝に嵌め、ファントムを、前記ファントム位置決め用治具が備える、当該ファントムと当該ファントム位置決め用治具との相対的な位置を固定する枠体に嵌め込み、前記ファントム位置決め用治具のみを前記寝台から取り外すこと、を特徴とする。
【００１５】
また、本発明の第６の態様は、ファントム位置決め用治具を用いて、医用診断装置の性能評価又は校正に用いられるファントムを載置する医用診断装置用のファントムの載置方法であって、前記ファントム位置決め用治具が備える突起部を前記医用診断装置の寝台に穿設された溝に嵌め、前記ファントムを、前記ファントム位置決め用治具が備える枠体内に収容し、前記ファントムの筒軸方向に沿って貫設された第１のガイド部に、前記ファントム位置決め治具が備える第１の照光器が照光する前記寝台の長手方向に沿ったレーザ光が通るように、前記ファントムの載置位置を調整し、前記ファントムの筒軸方向と直交する方向に貫設された第２のガイド部に、前記ファントム位置決め治具が備える第２の照光器が照光する前記寝台の長手方向と直交する方向に沿ったレーザ光が通るように、前記ファントムの載置位置を調整し、前記ファントム位置決め用治具のみを前記寝台から取り外すこと、を特徴とする。
【００１６】
また、本発明の第７の態様では、前記ファントムによる前記医用診断装置の性能評価又は校正後には、前記寝台に穿設された溝を栓で塞ぐようにしてもよい。
【発明の効果】
【００１７】
本発明の第１乃至第６の態様によっては、ファントム容器を寝台に対して絶えず定位置に載置することができる。これにより、医用診断装置の性能評価又は校正時、寝台２０の予め規定された位置へＲＯＩを設定することが可能となり、手動過程をはさまずに全自動で性能評価又は校正のためのスキャンとデータ処理を行うことが可能となる。従って性能評価又は校正の精度が向上するとともに、性能評価又は校正の作業効率が向上する。また、時間経過によるスキャナ性能の変化を検出することが可能となり、また同一種類の医用診断装置の異なる製品間の比較精度を向上させることもできる。
【００１８】
また、本発明の第７の態様によっては、医用診断装置で被検体を撮影する際に寝台に穿設された溝が邪魔にならず、被検体を溝で傷つけることはない。
【発明を実施するための最良の形態】
【００１９】
以下、本発明に係る医用診断装置用のファントム及びこのファントムの載置方法の好適な各実施形態について、図面を参照しながら詳細に説明する。
【００２０】
（第１の実施形態）
まず、本発明に係る医用診断装置用のファントム及びこのファントムの載置方法の第１の実施形態について説明する。図１は、第１の実施形態に係るファントムを示す斜視図である。また、図２は、第１の実施形態に係るファントムの寝台への載置を示す模式図である。
【００２１】
図１に示すファントム容器１０ａは、生体器官の一部を模擬する充填物が入った円筒形の模型である。このファントム容器１０ａを撮影して得られた画像から医用診断装置の性能評価又は校正を行う。
【００２２】
ファントム容器１０ａの外容器は、アクリルで組成され、内部は、空洞となっている。内部の空洞に放射性物質や水等の充填物を充填してスキャンすることにより、Ｘ線ＣＴ装置、Ｘ線診断装置、ＳＰＥＣＴ装置、ＰＥＴ装置、ＰＥＴ−ＣＴ装置のスキャナ性能の特性を表す測定値が得られる。
【００２３】
例えば、ファントム容器１０ａの空洞全体に、充填物を充填することでスキャナ性能の均一性を計測することが可能である。また、ファントム容器１０ａの空洞に大小異なる複数の小室を異なる位置に設け、各小室に充填物を充填することで分解能を計測することが可能である。この均一性を計測するための空洞と分解能を計測するために小室を設けた空洞とを双方繋げて併せもつ２相ファントムなるものもある。双方の空洞は、アクリルで組成されたセパレータにより隔離されている。
【００２４】
このファントム容器１０ａには、底部に突起部１１が突出して設けられている。突起部１１は、ファントム容器１０ａの底部四隅からそれぞれ突出している。図２に示すように、医用診断装置の寝台２０には、その周縁部に４つの溝２１が穿設されている。突起部１１の高さは、溝２１の深さと同じに設定されており、突起部１１の幅及び長さは、溝２１に嵌め込み可能で溝２１に突起部１１を嵌め込んだ際にガタツキが生じない程度に設定されている。
【００２５】
尚、寝台２０の周辺部に穿設される溝２１は、医用診断装置による被検体やファントム容器１０ａの撮影の邪魔にならないような位置に設定される。ファントム容器１０ａの突起部１１は、溝２１の設置間隔に合わせて設けられる。
【００２６】
このようなファントム容器１０ａを用いて医用診断装置の性能評価又は校正を行う際には、寝台２０の周辺部に穿設された溝２１にファントム容器１０ａの突起部１１を合わせて嵌め込む。
【００２７】
図３は、本実施形態に係るファントム容器の寝台からの取り外しを示す模式図である。性能評価又は校正が終了すると、溝２１から突起部１１を抜き、ファントム容器１０ａを寝台２０から取り外す。ファントム容器１０ａを取り外した後は、溝２１を栓２２で塞いでおく。栓２２は、例えば、コルク等の寝台２０の材質と同じか吸収計数が近い物質で組成される。この栓２２で溝２１を塞いでおくことで、実際に医用診断装置で被検体を撮影する際に溝２１が邪魔にならず、被検体を溝２１で傷つけることはない。
【００２８】
この第１の実施形態に係るファントムによると、ファントム容器１０ａを寝台２０に対して絶えず定位置に載置することができる。これにより、医用診断装置の性能評価又は校正時、寝台２０の予め規定された位置へＲＯＩを設定することが可能となり、手動過程をはさまずに全自動で性能評価又は校正のためのスキャンを行うことが可能となる。従って性能評価又は校正の精度が向上するとともに、性能評価又は校正の作業効率が向上する。また、時間経過によるスキャナ性能の変化を検出することが可能となり、また同一種類の医用診断装置の異なる製品間の比較精度を向上させることもできる。
【００２９】
（第２の実施形態）
次に、本発明に係る医用診断装置用のファントム及びこのファントムの載置方法の第２の実施形態について説明する。尚、第１の実施形態と同一の構成には同一符号を付し、詳細な説明を省略する。
【００３０】
図４は、第２の実施形態に係るファントムを示す斜視図である。
【００３１】
第２の実施形態に係るファントムは、ファントム容器１０ｂ及び治具３０ａを備える。ファントム容器１０ｂは、生体器官の一部を模擬する充填物が入った円筒形の模型であり、外容器は例えばアクリルで組成され、内部は空洞となっている。第２の実施形態のファントム容器１０ｂは、突起部１１を有していない。
【００３２】
治具３０ａは、ファントム容器１０ｂの位置決めする型枠となり、治具３０ａ側に突起部３１が備えられる。治具３０ａの突起部３１が寝台２０の溝２１に嵌め込まれることにより、治具３０ａと寝台２０の相対的な位置が固定されるものである。
【００３３】
この治具３０ａは、四角形状の枠体３３ａを有する。枠体３３ａの４隅には、それぞれに支柱３２が延設されている。支柱３２の足部分が寝台２０の溝２１に嵌め込まれる突起部３１として機能する。枠体３３ａは、隣り合う支柱３２間に架橋されている。この枠体３３ａは、支柱３２の突起部３１側先端から、溝２１の深さとファントム容器１０ｂの底部から最大径を有する位置までの高さを足し合わせた高さ以上の箇所に架橋されている。
【００３４】
枠体３３ａで囲まれる枠内領域３４ａは、ファントム容器１０ａを治具３０ａから着脱可能に収容する領域となる。枠体３３ａは、治具３０ａの突起部３１を溝２１に嵌め込んで枠内領域３４ａにファントム容器１０ａを載置した際に、ファントム容器１０ｂの枠体３３ａ位置断面の外形が画成する包絡線が枠体３３ａの内壁に内接する大きさに設定される。枠内領域３４ａにファントム容器１０ｂが嵌め込み収容されることにより、枠体３３ａによりファントム容器１０ｂと治具３０ａとの相対的な位置が固定される。
【００３５】
即ち、枠体３３ａは、ファントム容器１０ａを枠内領域３４ａ内に着脱自在に固定収容する大きさを有し、この枠体３３ａに合わせて支柱３２が４隅に立設し、支柱３２の立設間隔に合わせて寝台２０に溝２１が穿設される。
【００３６】
この本実施形態のファントムの載置方法を図５及び図６に基づき説明する。図５は、第２の実施形態に係る治具３０ａとファントム容器１０ｂの寝台への載置方法を示す斜視図である。第２の実施形態に係る治具３０ａの寝台２０からの取り外しを示す模式図である。
【００３７】
まず、図５に示すように、本実施形態のファントムでは、治具３０ａの支柱３２先端の突起部３１を寝台２０の周辺部に穿設された溝２１に合わせて嵌め込み、治具３０ａを寝台２０に設置する。これにより、治具３０ａと寝台２０との相対的な位置関係が固定される。
【００３８】
治具３０ａを設置すると、治具３０ａの枠内領域３４ａにファントム容器１０ｂを嵌め込む。これにより、治具３０ａとファントム容器１０ｂとの相対的な位置関係が固定され、以て寝台２０の定位置にファントム容器１０ｂが載置される。
【００３９】
次に、図６に示すように、溝２１から突起部３１を抜き、治具３０ａを寝台２０から取り外す。治具３０ａを取り外した後、寝台２０の定位置に載置されたファントム容器１０ｂを用いて医用診断装置の性能評価又は校正を行う。
【００４０】
性能評価又は校正が終了すると、ファントム容器１０ｂを寝台２０から取り除き、溝２１を栓２２で塞いでおく。
【００４１】
この第２の実施形態に係るファントムによると、ファントム容器１０ｂを寝台２０に対して絶えず定位置に載置することができる。これにより、医用診断装置の性能評価又は校正時、寝台２０の予め規定された位置へＲＯＩを設定することが可能となり、手動過程をはさまずに全自動で性能評価又は校正のためのスキャンを行うことが可能となる。従って性能評価又は校正の精度が向上するとともに、性能評価又は校正の作業効率が向上する。また、時間経過によるスキャナ性能の変化を検出することが可能となり、また同一種類の医用診断装置の異なる製品間の比較精度を向上させることもできる。
【００４２】
（第３の実施形態）
次に、本発明に係る医用診断装置用のファントム及びこのファントムの載置方法の第３の実施形態について説明する。尚、第１及び第２の実施形態と同一の構成には同一符号を付し、詳細な説明を省略する。
【００４３】
第３の実施形態に係るファントムは、ファントム容器１０ｃ及び治具３０ｂを備える。図７は、第３の実施形態に係るファントム容器１０ｃを示す斜視図である。図８は、第３の実施形態に係る治具３０ｂを示す斜視図である。
【００４４】
図７に示すように、第３の実施形態に係るファントム容器１０ｃは、生体器官の一部を模擬する充填物が入った円筒形の模型であり、外容器は例えばアクリルで組成され、内部は空洞となっている。また、ファントム容器１０ｃを貫く通路である第１のガイド部１２ａ及び第２のガイド部１２ｂを備える。
【００４５】
第１のガイド部１２ａは、ファントム容器１０ｃの延び方向、即ち円筒軸方向に沿って貫設されている。また、第２のガイド部１２ｂは、ファントム容器１０ｃの筒軸方向と直交する方向であって、ファントム容器１０ｃが寝台２０に載置されたときに寝台２０と平行な方向に沿って貫設されている。この第１のガイド部１２ａと第２のガイド部１２ｂは、ファントム容器１０ｃの外容器の厚み部分に貫設されており、ファントム容器１０ｃの周縁に存在する。ファントム容器１０ｃが２相ファントムである場合には、各層のファントムを繋ぐセパレータに第２のガイド部１２ｂが貫設される。
【００４６】
この第１のガイド部１２ａ及び第２のガイド部１２ｂは、ファントム容器１０ｃの寝台２０への載置位置をガイドするものである。特に、第１のガイド部１２ａは、寝台２０の長さ方向とファントム容器１０ｃの筒軸方向とを一致させるためのものである。第２のガイド部１２ｂは、寝台２０の幅方向とファントム容器１０ｃの筒軸方向と直交する方向であって、ファントム容器１０ｃが寝台２０に載置されたときに寝台２０と平行な方向とを一致させ、かつ寝台２０の長さ方向におけるファントム容器１０ｃの載置位置を規定するものである。
【００４７】
この第１のガイド部１２ａと第２のガイド部１２ｂの内部には、コロイド等の光散乱物質１３が充填されている。光散乱物質１３は、通過する光を散乱させ、第１のガイド部１２ａや第２のガイド部１２ｂを光らせる。
【００４８】
図８に示すように、第３の実施形態に係る治具３０ｂは、支柱３２の一先端に突起部３１を有し、隣り合う支柱３２間に四角形の枠体が架橋している点について第２の実施形態と同様である。
【００４９】
第３の実施形態においては、支柱３２の架橋位置を異ならせて、下方側に下方枠体３３ｂが架橋し、上方側に上方枠体３３ｃが架橋している。この下方枠体３３ｂの枠内領域３４ｂと上方枠体３３ｃの枠内領域３４ｃには、ファントム容器１０ｃが収容されるが、ファントム容器１０ｃの外形に従う必要はなく、ファントム容器１０ｃの最大径における断面よりも十分広い。ファントム容器１０ｃの位置を治具３０ｂに対して相対的に固定するものではない。この上方枠体３３ｃと下方枠体３３ｂは、レーザ光を照光する第１の照光器３５ａと第２の照光器３５ｂを支持するステイとなる。
【００５０】
第１の照光器３５ａは、治具３０ｂを寝台２０に設置した際に、レーザ光の照光方向が寝台２０の長手方向に沿うように上方枠体３３ｃに設置されている。レーザ光の照光口は、枠内領域３４ｃへ向けられている。第２の照光器３５ｂは、治具３０ｂを寝台２０に設置した際に、レーザ光の照光方向が寝台２０の幅方向に沿うように下方枠体３３ｂに設置されている。
【００５１】
また、この第１の照光器３５ａは、ファントム容器１０ｃが治具３０ｂに収容されて定位置に載置された際に第１のガイド部１２ａの穴方向へレーザ光を照射するように設置されている。さらに、第２の照光器３５ａは、ファントム容器１０ｃが治具３０ｂに収容されて定位置に載置された際に第２のガイド部１２ｂの穴方向へレーザ光を照射するように設置されている。即ち、突起部３１の高さを除いた上方枠体３３ｃの高さは、ファントム容器１０ｃに設置される第１のガイド部１２ａと同一の高さに架橋される。また、突起部３１の高さを除いた下方枠体３３ｂの高さは、ファントム容器１０ｃに設置される第２のガイド部１２ｂと同一の高さに架橋される。
【００５２】
この第１の照光器３５ａと第２の照光器３５ｂのそれぞれには、照光器３５ａ，３５ｂの傾きを計測する水準器３６と、レーザ光の向きを調整する調整機構３７とが備えられる。調整機構３７は、照光器３５ａ，３５ｂを支持する枠体３３ｂ，３３ｃの延び方向に貫通する軸である。照光器３５ａ，３５ｂを軸回りに回転させることにより、レーザ光の向きが調整される。
【００５３】
図９は、第３の実施形態に係る治具３０ｂファントム容器１０ｃの寝台２０への載置方法を示す模式図である。
【００５４】
本実施形態のファントムでは、治具３０ｂの支柱３２先端の突起部３１を寝台２０の周辺部に穿設された溝２１に合わせて嵌め込み、治具３０ｂを寝台２０に設置する。これにより、治具３０ｂと寝台２０との相対的な位置関係が固定される。
【００５５】
治具３０ｂを設置すると、第１の照光器３５ａ及び第２の照光器３５ｂの照光するレーザ光の向きが寝台２０表面と平行になるように、第１の照光器３５ａ及び第２の照光器３５ｂの向きを調整する。まず、別途用意した水準器を用いて寝台２０表面の傾きを計測し、寝台２０表面の傾きを計測した結果と水準器３６の計測結果を合わせるように調整機構３７で第１の照光器３５ａ及び第２の照光器３５ｂの向きを調整する。
【００５６】
第１の照光器３５ａ及び第２の照光器３５ｂの向き調整が終了すると、治具３０ｂの枠内領域３４ｂ，３４ｃにファントム容器１０ｃを収容する。枠内領域３４ｂ，３４ｃは、ファントム容器１０ｃの外形に対して十分に広いため、ファントム容器１０ｃの位置は確定しない。
【００５７】
ファントム容器１０ｃを治具３０ｂ内に収容すると、第１のガイド部１２ａを第１の照光器３５ａが照光したレーザ光が貫通し、かつ第２のガイド部１２ｂを第２の照光器３５ｂが照光したレーザ光が貫通するように、ファントム１０ｃの寝台２０長手方向に対する位置や幅方向に対する位置や向きを調整する。光散乱物質１３により第１のガイド部１２ａ及び第２のガイド部１２ｂの全通路が光れば、ファントム１０ｃが寝台２０に対して相対的に定位置に載置されたことを意味する。全通路が光らない場合は、ファントム容器１０ｃの位置若しくは向きが寝台２０の定位置からずれていることを意味する。
【００５８】
次に、溝２１から突起部３１を抜き、治具３０ａを寝台２０から取り外す（図６参照）。治具３０ａを取り外した後、寝台２０の定位置に載置されたファントム容器１０ｂを用いて医用診断装置の性能評価又は校正を行う。
【００５９】
性能評価又は校正が終了すると、ファントム容器１０ｃを寝台２０から取り除き、溝２１を栓２２で塞いでおく。
【００６０】
この第３の実施形態に係るファントムによると、ファントム容器１０ｃを寝台２０に対して絶えず定位置に載置することができる。これにより、医用診断装置の性能評価又は校正時、寝台２０の予め規定された位置へＲＯＩを設定することが可能となり、手動過程をはさまずに全自動で性能評価又は校正のためのスキャンとデータ処理を行うことが可能となる。従って性能評価又は校正の精度が向上するとともに、性能評価又は校正の作業効率が向上する。また、時間経過によるスキャナ性能の変化を検出することが可能となり、また同一種類の医用診断装置の異なる製品間の比較精度を向上させることもできる。
【００６１】
（第４の実施形態）
次に、本発明に係る医用診断装置用のファントム及びこのファントムの載置方法の第３の実施形態について説明する。尚、第１乃至第３の実施形態と同一の構成には同一符号を付し、詳細な説明を省略する。
【００６２】
第４の実施形態に係るファントムは、ファントム容器１０ｄ及び治具３０ｃを備える。図１０は、第４の実施形態に係るファントム容器１０ｄを示す斜視図である。図１１は、第４の実施形態に係る治具３０ｃを示す斜視図である。
【００６３】
図１０に示すように、第４の実施形態に係るファントム容器１０ｄは、生体器官の一部を模擬する充填物が入った円筒形の模型であり、外容器は例えばアクリルで組成され、内部は空洞となっている。また、第３の実施形態と同様にファントム容器１０ｃを貫く通路である第１のガイド部１２ａ及び第２のガイド部１２ｂを備える。第１のガイド部１２ａ及び第２のガイド部１２ｂには、光散乱物質１３が充填されず、空洞の通路となっている。
【００６４】
図１１に示すように、第４の実施形態に係る治具３０ｃは、支柱３２の一先端に突起部３１を有し、隣り合う支柱３２間に下方枠体３３ｂ及び上方枠体３３ｃが架橋し、第１の照光器３５ａと第２の照光器３５ｂを支持するとともに、及びこれら第１の照光器３５ａと第２の照光器３５ｂのそれぞれに水準器３６と調整機構３７が備えられる点については、第３の実施形態に係る治具３０ｃと同様である。
【００６５】
治具３０ｃには、第１の照光器３５ａが設置されている上方枠体３３ｃの辺と対向する辺に、第１の照光器３５ａと対向する光感知センサ３８が設置されている。また、第２の照光器３５ｂが設置されている下方枠体３３ｂの辺と対向する辺に、第２の照光器３５ｂと対向する光感知センサ３８が設置されている。光感知センサ３８は、光を感知するセンサである。
【００６６】
図１２は、第４の実施形態に係る治具３０ｃとファントム容器１０ｄの寝台２０への載置方法を示す模式図である。
【００６７】
本実施形態のファントムでは、まず、溝２１に突起部３１を嵌め込んで治具３０ｃを寝台２０に固定すると、第１の照光器３５ａ及び第２の照光器３５ｂの向きを調整し、治具３０ｃの枠内領域３４ｂ，３４ｃにファントム容器１０ｄを収容する。
【００６８】
ファントム容器１０ｄを治具３０ｃ内に収容すると、第１のガイド部１２ａを第１の照光器３５ａが照光したレーザ光が貫通し、かつ第２のガイド部１２ｂを第２の照光器３５ｂが照光したレーザ光が貫通するように、ファントム１０ｄの寝台２０長手方向に対する位置や幅方向に対する位置や向きを調整する。光感知センサ３８がレーザ光を感知すれば、レーザ光が第１のガイド部１２ａと第２のガイド部１２ｂを貫通したこととなり、ファントム１０ｄが寝台２０に対して相対的に定位置に載置されたことを意味する。第１の照光器３５ａに対向する光感知センサ３８及び第２の照光器３５ｂに対向する光感知センサ３８の双方がレーザ光を感知しない場合は、ファントム容器１０ｄの位置若しくは向きが寝台２０の定位置からずれていることを意味する。
【００６９】
次に、溝２１から突起部３１を抜き、治具３０ａを寝台２０から取り外す（図６参照）。治具３０ａを取り外した後、寝台２０の定位置に載置されたファントム容器１０ｂを用いて医用診断装置の性能評価又は校正を行う。
【００７０】
性能評価又は校正が終了すると、ファントム容器１０ｄを寝台２０から取り除き、溝２１を栓２２で塞いでおく。
【００７１】
この第４の実施形態に係るファントムによると、ファントム容器１０ｄを寝台２０に対して絶えず定位置に載置することができる。これにより、医用診断装置の性能評価又は校正時、寝台２０の予め規定された位置へＲＯＩを設定することが可能となり、手動過程をはさまずに全自動で性能評価又は校正のためのスキャンを行うことが可能となる。従って性能評価又は校正の精度が向上するとともに、性能評価又は校正の作業効率が向上する。また、時間経過によるスキャナ性能の変化を検出することが可能となり、また同一種類の医用診断装置の異なる製品間の比較精度を向上させることもできる。
【図面の簡単な説明】
【００７２】
【図１】第１の実施形態に係るファントム容器を示す斜視図である。
【図２】第１の実施形態に係るファントム容器の寝台への載置を示す模式図である。
【図３】第１の実施形態に係るファントム容器の寝台からの取り外しを示す模式図である。
【図４】第２の実施形態に係る治具の斜視図である。
【図５】第２の実施形態に係る治具とファントム容器の寝台への載置を示す斜視図である。
【図６】第２の実施形態に係る治具の寝台からの取り外しを示す斜視図である。
【図７】第３の実施形態に係るファントム容器を示す斜視図である。
【図８】第３の実施形態に係る治具の斜視図である。
【図９】第３の実施形態に係る治具とファントム容器の寝台への載置を示す模式図である。
【図１０】第４の実施形態に係るファントム容器を示す斜視図である。
【図１１】第４の実施形態に係る治具の斜視図である。
【図１２】第４の実施形態に係る治具とファントム容器の寝台への載置を示す模式図である。
【符号の説明】
【００７３】
１０ａ  ファントム容器
１０ｂ  ファントム容器
１０ｃ  ファントム容器
１０ｄ  ファントム容器
１１    突起部
１２ａ  第１のガイド部
１２ｂ  第２のガイド部
１３    光散乱物質
２０    寝台
２１    溝
２２    栓
３０ａ  治具
３０ｂ  治具
３０ｃ  治具
３１    突起部
３２    支柱
３３ａ  枠体
３３ｂ  下方枠体
３３ｃ  上方枠体
３４ａ  枠内領域
３４ｂ  枠内領域
３４ｃ  枠内領域
３５ａ  第１の照光器
３５ｂ  第２の照光器
３６    水準器
３７    調整機構
３８    光感知センサ
【図１】
2008113803.tif 000003
【図２】
2008113803.tif 000004
【図３】
2008113803.tif 000005
【図４】
2008113803.tif 000006
【図５】
2008113803.tif 000007
【図６】
2008113803.tif 000008
【図７】
2008113803.tif 000009
【図８】
2008113803.tif 000010
【図９】
2008113803.tif 000011
【図１０】
2008113803.tif 000012
【図１１】
2008113803.tif 000013
【図１２】
2008113803.tif 000014